【事件の表示】
　特願２０１３−１６６４３０「核医学診断装置」拒絶査定不服審判事件〔平成２７年　２月１９日出願公開、特開２０１５−　３４７７９、請求項の数（５）〕について、次のとおり審決する。
【結　論】
　原査定を取り消す。
　本願の発明は、特許すべきものとする。
【理　由】
第１　手続の概要
　本願は、平成２５年８月９日の出願であって、平成２９年７月１３日付けで拒絶理由が通知され、平成２９年９月２１日付けで意見書及び手続補正書が提出されたが、平成３０年２月７日付けで拒絶査定（以下、「原査定」という。）がなされた。
　本件は、これに対して、平成３０年５月１８日に拒絶査定に対する審判請求がなされたものである。
　その後、当審において、平成３１年３月６日付けで拒絶理由（以下、「当審拒絶理由」という。）が通知され、同年４月２２日に意見書及び手続補正書が提出された。
第２　原査定の概要
　原査定の概要は次のとおりである。
　本願請求項１、３〜９に係る発明は、以下の引用文献１〜７に基づいて、その発明の属する技術の分野における通常の知識を有する者（以下、「当業者」という。）が容易に発明できたものであるから、特許法第２９条第２項の規定により特許を受けることができない。
　なお、請求項２は、意見書における出願人の説明のとおり、補正前の特許請求の範囲に対して新たに追加されたものであるから、拒絶査定の対象に含まれない。しかし、引用文献１、８に基づいて、当業者が容易に発明できたものであるから、特許法第２９条第２項の規定により特許を受けることができない。
引用文献等一覧
１．特許第３３１００８０号公報
２．特表２００８−５０３２５９号公報（周知技術を示す文献）
３．特表２００８−５２６２７０号公報（周知技術を示す文献）
４．特許第４１１１８２６号公報
５．特開平７−２２９９６９号公報
６．国際公開第２０１０／０３２４７２号（周知技術を示す文献）
７．特表２０１２−５０２６６９号公報（周知技術を示す文献）
８．特開２０１１−１４２９７４号公報（周知技術を示す文献；新たに引用された文献）
第３　当審拒絶理由の概要
　当審拒絶理由の概要は次のとおりである。
１　本願は、特許請求の範囲の記載が下記の点で不備のため、特許法第３６条第６項第２号に規定する要件を満たしていない。
 （１）本願発明１について 
 　「入力した前記他の３次元画像に対して前記解剖学的基準面を設定する手段」では、どのように解剖学的基準面を設定するのかが明らかでない。 
（２）本願発明８について 
 　「異なる複数の被検体から生成された複数の前記３次元核医学画像を保存し、標準脳データベースを構築する手段」では、「標準脳データベース」が、「保存」された「３次元核医学画像」により、どのように「構築」されるものであるのかが不明である。 
２　本願請求項８〜９に係る発明は、以下の引用文献Ａに記載された発明に基づいて、当業者が容易に発明できたものであるから、特許法第２９条第２項の規定により特許を受けることができない。
引用文献等一覧
Ａ．特許第３３１００８０号公報（拒絶査定時の引用文献１）
第４　本願発明
　本願の請求項１〜５に係る発明（以下、それぞれ、「本願発明１」〜「本願発明５」という。）は、平成３１年４月２２日に提出された手続補正書でした手続補正により補正された特許請求の範囲の請求項１〜５に記載された事項により特定されるものと認められるところ、本願発明１は、次のとおりのものである。
「　【請求項１】
天板に横臥する被検体に線状の光を投光する投光器と、
　前記被検体の眼窩中心と外耳孔の中心を結ぶ左右の眼窩外耳孔線（ＯＭ（Orbitomeatal）ライン）又は、眼窩上縁と外耳孔の中心を結ぶ左右の眼窩上縁外耳孔線（ＳＯＭ（Supra Orbitomeatal）ライン）を含む平面である解剖学的基準面と前記線状の光によって定まる投光面とが合致するように調整された前記投光器の投光情報と前記天板の位置情報とを取得する手段と、
　前記被検体に投与された核種が放出する放射線を複数の方向から検出して収集した投影データを再構成して３次元核医学画像を生成する一方、前記投光器の投光情報と前記天板の位置情報とを用いて前記３次元核医学画像に前記解剖学的基準面を対応付ける再構成手段と、
　再構成した前記３次元核医学画像とは異なる他の３次元画像を入力する手段と、
　入力した前記他の３次元画像に対して前記解剖学的基準面を設定する手段と、
　再構成した前記３次元核医学画像の中の解剖学的基準面と、入力した前記他の３次元画像に対して設定された前記解剖学的基準面とが合致するように、前記３次元核医学画像と前記他の３次元画像とを位置合わせする手段と、
　位置合わせされた前記３次元核医学画像と前記他の３次元画像とを融合して融合画像を生成する手段と、
　表示器と、
を備え、
　前記他の３次元画像はＣＴ（Computed Tomography）画像、又は、ＭＲＩ（Magnetic Resonance Imaging）画像であり、
　前記表示器は、入力した前記他の３次元画像を表示し、
　前記他の３次元画像に対する解剖学的基準面は、前記表示器に表示された前記他の３次元画像に対するユーザ操作によって設定される、
ことを特徴とする核医学診断装置。」
　なお、本願発明２〜５は、本願発明１を減縮した発明である。
第５　引用文献、引用発明等
１　引用文献１について
　原査定の拒絶の理由に引用された引用文献１には、次の事項が記載されている。（下線は、当審が付したものである。）
（１）「【０００１】
【産業上の利用分野】
本発明は、被検体中のスライス面におけるＲＩ分布像（ＲＩ分布断層像）を作成するエミッションＣＴ装置に関する。
【０００２】
【従来の技術】エミッションＣＴ装置（以下、ＥＣＴと称する）は、放射線（γ線）を検出する検出器を被検体のまわりに回転（以下、ＳＰＥＣＴ回転ともいう）させながら、被検体の体内に投与したＲＩ（ラジオアイソトープ）から放射される放射線をその検出器で検出し、得られた放射線データに基づいて断層像（ＥＣＴ像ともいう）を再構成するものである。
・・・（中略）・・・
【０００４】一方、近年における装置性能の向上とともに、例えば脳血管障害の検査等を目的として頭部断層像を撮影する場合が増加しつつある。この際、人体の目と耳孔とを結んだ線（以下、ＯＭラインと称する）を参照する必要がある。」
（２）「【００２４】
【実施例】以下、本発明の一実施例を添付図面を参照して説明する。
【００２５】図１は本実施例に係るＥＣＴ（シンチレーションカメラということもある）の側面図、図２はそのＥＣＴの正面図をそれぞれ示している。
【００２６】
ＥＣＴ１は、γ線を検出する検出器２を備えた架台３と、被検体Ｈを載置するための支持装置である寝台４とを備えている。
【００２７】
架台３は、検出器２を支持するアーム５と、このアーム５を支持するアーム支持部６を備えている。このアーム支持部６は、架台３に回動可能に取り付けられている。また、架台３は、アーム支持部６を被検体Ｈの体軸周りに回転させる回転駆動部７と、このアーム支持部６の回転角度を検出する角度センサ８とを備えている。
【００２８】
さらに、架台３は、寝台４の天板４ａに載置された被検体Ｈに向けて撮影基準線を投光する投光器９ａを備えている。この投光器９ａは、アーム５の検出器２近傍に設けられ、図３に示すように、被検体Ｈに対し水平投光線ｅ−ｅ′、垂直投光線ｇ−ｇ′、並びにＯＭライン入力用設定線ｆ−ｆ′を投影する。これらの投影線のうちＯＭライン入力用設定線ｆ−ｆ′は、投光器９ａに連結して設けられた投光器回転具９ｂを操作することによって、被検体のサジタル面に沿って（図２のθ方向）に回転するようになっている。
このような投光器９ａ、投光器回転具９ｂのセットは、被検体Ｈを挟む反対側にも必要に応じて符号９ｃ、９ｄで示すように設けることができる。また、ＯＭライン入力用設定線ｆ−ｆ′の垂直投光線ｇ−ｇ′に対する回転角θを検出するエンコーダ１０をアーム５に設けている。
【００２９】
さらに、架台３は、この架台本体３を被検体の体軸方向へ走行させる走行駆動部１１を設けている。また、架台３の寝台４（天板４ａ）に対する位置（以下、走行位置という）を検出する位置センサ１２を設けている。
【００３０】
一方、寝台４には、寝台４の寝台操作部４ｂを操作することにより、寝台４上の天板４ａを体軸方向へスライドさせ、または昇降させる寝台駆動部１３を備えている。
【００３１】次に、本実施例に係るＥＣＴ１の概略システム構成図を図４に示す。
【００３２】
ＥＣＴ１には、架台３全体の制御を行なう架台制御部１４と、オペレータが操作して架台制御部１４に対して種々の指令を送る例えばキーボード等を備えた入力部１５と、検出器２から送られた放射線データを基にして所要の演算を行ない、断層像を再構成する画像再構成装置１７と、この画像再構成装置１７で行なわれた演算結果等を格納しておくメモリ１６とを備えている。
【００３３】架台制御部１４は、回転駆動部７及び走行駆動部１１に駆動信号を送り、架台３のアーム支持部６を体軸周りに回転させるようになっている。また、走行駆動部１１に駆動信号を送り、架台３を体軸方向に沿って走行させるようになっている。
【００３４】一方、角度センサ８及び位置センサ１２からの検出結果は、架台制御部１４を介して画像再構成装置１７に送られる。
【００３５】画像再構成装置１７は、角度センサ８、エンコーダ１０、及び位置センサ１２から送られるデータに基づいて再構成する断層面の位置を決定するようになっている。
【００３６】なお、アーム５、支持アーム６、回転駆動部７が本発明の検出器回転装置及び基準線回転手段（第１の基準線回転手段）を形成する。また、それぞれ線状の光を投光する投光器９ａ、９ｃが本発明の基準線設定手段を形成する。
【００３７】さらに、回転具９ｂ、９ｄが本発明の第２の基準線回転手段を形成する。また、回転角検出器８が本発明の第１の回転角検出手段を形成し、エンコーダ１０が本発明の第２の回転角検出手段を形成する。
【００３８】次に全体動作について説明する。
【００３９】図５は、患者に対して撮影基準線（例えばＯＭライン）を設定して撮影を実行するまでの手順を示すフローチャートである。
【００４０】先ず、ＲＩが注入された患者（被検体）Ｈを寝台４の天板４ａに載置する。その後、寝台操作部４ｂを操作し寝台駆動部１３を駆動させて、天板４ａの高さを最適状態に調節し、被検体Ｈの頭部が投光器９ａに対して最適位置になるようにする（ステップ１０１）。
【００４１】この状態でオペレータは、投光器９ａを点灯して図３に示すような各種投投影線、すなわち水平投光線ｅ−ｅ′、垂直投光線ｇ−ｇ′、並びにＯＭライン入力用設定線ｆ−ｆ′を投影する。
【００４２】このとき被検体Ｈが、例えば背骨，首等に疾患があり等の理由から、図６に示すように体軸周りにα°回転している場合、被検体のＯＭラインは、ｘ側とｙ側とでズレが生じてしまう（ｘ側ＯＭラインｒｘ、ｙ側ＯＭラインｒｙ）。どちらか一方のＯＭラインでは正確な再構成が不可能であるため、オペレータは、再度入力部１５を操作し架台制御部１４に対して、アーム支持部６（つまり、架台３の回転部分）を体軸が回転している方向と同じ方向へα°回転させる指令を入力する。
【００４３】架台制御部１４は、この指令に基づいて回転駆動部７に駆動信号を送る。この結果、アーム支持部６は、体軸が回転している方向と同じ方向へα°回転する。投光器９ａは、アーム支持部６に支持されたアーム５に設けられているため、アーム支持部６と共に回転し、図７に示す状態となる。つまり、各種投影線（水平投光線ｅ−ｅ′、垂直投光線ｇ−ｇ′、並びにＯＭライン入力用設定線ｆ−ｆ′）がそれぞれα°回転する。このときの元の投影線とα°だけ回転した投影線との位置関係を図８に示す。図８は、被検体の耳孔部分を拡大したものである。図７に示すように、水平投光線ｅ−ｅ′、垂直投光線ｇ−ｇ′、及びＯＭライン入力用設定線ｆ−ｆ′（都合上ＯＭライン入力用設定線ｆ−ｆ′は図示しなかった）は、新たに水平投影線をｅ１−ｅ１′、垂直投光線ｇ１−ｇ１′、及びＯＭライン入力用設定線ｆ１−ｆ１′となる。
【００４４】
次に、オペレータは、投光器回転具９ｄを操作することにより、ＯＭライン入力用設定線ｆ１−ｆ１′を被検体Ｈの耳孔Ｏと目を結ぶ線、すなわちＯＭラインと一致するまで回転させる（図３には、その回転角がθとして示されている）。
【００４５】上記したようなＯＭラインの設定後、被検体Ｈの頭部に対する投影データを収集するために、オペレータは入力部１５を操作し架台制御部１４に対し架台３を、図１におけるＡ位置（破線位置）からＢ位置（実線位置）まで距離Ｌだけ移動させる指令を入力する。
【００４６】架台制御部１４は、この指令に基づいて走行駆動部１１に駆動信号を送る。この結果、架台３は、図１のＡ位置からＢ位置までＬだけ移動する（ステップ１０３）。なお、この移動量Ｌは、位置センサ１２により検出され、架台制御部１４を介して画像再構成装置１７に送られる。
【００４７】次いで、この状態で撮影が行なわれ、検出器２により放射線データが収集される。
【００４８】ここで、収集された放射線データに基づいてＯＭライン上のＲＩ分布像を作成するまでに、画像再構成装置１７で行なわれる工程を図９を用いて説明する。
【００４９】
画像再構成装置１７では、エンコーダ１０により検出された回転角θ、角度センサ８により検出された回転角α、及び位置センサ１２により検出された移動量Ｌを読み込み、内部メモリ１６に一旦格納する（ステップ２０１）。そして、この回転角θ、回転角α、及び移動量Ｌに基づいて実際のＯＭラインの位置を演算する（ステップ２０２）。
【００５０】ここで、このステップ２０２での処理について図１０により説明する。図１０は、支持アーム６、つまり検出器２がα°回転したときに収集された投影像ＰとＯＭライン上に設定された設定線ｆ１−ｆ１′との架台３の移動量Ｌを加味した相対位置関係を示している。この図１０において、ｘ方向の画像の中心ａとｙ方向のＬの位置［（ｘ，ｙ）＝（ａ，Ｌ）］を中心として、垂線ｇ１−ｇ１′からθだけ回転した線ｆ１−ｆ１′が実際のＯＭラインの位置となる。
【００５１】
その後、検出器２から送られる投影データを読み込み（ステップ２０２）、次いで内部メモリ１７から回転角αを読み出し、検出器２がα°だけ回転したときのＥＣＴ像を再構成する（ステップ２０３）。
【００５２】
得られたＥＣＴ像Ｉ１を基にして、これらの像に対してＯＭラインがなす角度θだけ傾けた断面像Ｉ２に変換する（点線で示す）。これらの像が最終的に求めようとするＯＭライン上のＲＩ断層像を含んだ断層像群となる（ステップ２０４）。
【００５３】
このようにして得られた撮影結果に、例えば各傾斜断層像にＯＭラインからの距離情報を付加する
（３）「【図３】
【図１１】
　 　 　 　 　 　 　 　 　 　 　 　 　 　 　 　 　 　 　 　 　 」
　すると、上記引用文献１には、以下の発明（以下「引用発明１」という。）が記載されている。
　
「γ線を検出する検出器２を備えた架台３と、被検体Ｈを載置するための支持装置である寝台４とを備え、また、架台３全体の制御を行なう架台制御部１４と、オペレータが操作して架台制御部１４に対して種々の指令を送る例えばキーボード等を備えた入力部１５と、検出器２から送られた放射線データを基にして所要の演算を行ない、断層像を再構成する画像再構成装置１７と、この画像再構成装置１７で行なわれた演算結果等を格納しておくメモリ１６とを備えたエミッションＣＴ装置（ＥＣＴ１）であって、
　架台３は、検出器２を支持するアーム５と、このアーム５を支持するアーム支持部６を備えており、このアーム支持部６は、架台３に回動可能に取り付けられていて、架台３は、アーム支持部６を被検体Ｈの体軸周りに回転させる回転駆動部７と、このアーム支持部６の回転角度を検出する角度センサ８とを備えており、
　さらに、架台３は、寝台４の天板４ａに載置された被検体Ｈに向けて撮影基準線を投光する投光器９ａ、９ｃを備えており、この投光器９ａ、９ｃは、アーム５の検出器２近傍に設けられ、被検体Ｈに対し水平投光線ｅ−ｅ′、垂直投光線ｇ−ｇ′、並びにＯＭライン（人体の目と耳孔とを結んだ線）入力用設定線ｆ−ｆ′を投影し、これらの投影線のうちＯＭライン入力用設定線ｆ−ｆ′は、投光器９ａ、９ｃに連結して設けられた投光器回転具９ｂ、９ｄを操作することによって、被検体のサジタル面に沿って回転するようになっていて、オペレータは、投光器回転具９ｂ、９ｄを操作することにより、ＯＭライン入力用設定線ｆ−ｆ’を被検体Ｈの耳孔Ｏと目を結ぶ線、すなわち、ＯＭラインと一致するまで回転させ、また、ＯＭライン入力用設定線ｆ−ｆ′の垂直投光線ｇ−ｇ′に対する回転角θを検出するエンコーダ１０をアーム５に設けており、
　さらに、架台３は、この架台本体３を被検体の体軸方向へ走行させる走行駆動部１１を設けていて、架台３の寝台４（天板４ａ）に対する位置（以下、走行位置という）を検出する位置センサ１２を設けており、
　一方、寝台４には、寝台４の寝台操作部４ｂを操作することにより、寝台４上の天板４ａを体軸方向へスライドさせ、または昇降させる寝台駆動部１３を備えており、
　画像再構成装置１７では、エンコーダ１０により検出された回転角θ、角度センサ８により検出された回転角α、及び位置センサ１２により検出された移動量Ｌを読み込み、内部メモリ１６に一旦格納して、この回転角θ、回転角α、及び移動量Ｌに基づいて実際のＯＭラインの位置を演算し、
　検出器２から送られる投影データを読み込み、次いで内部メモリ１６から回転角αを読み出し、検出器２がα°だけ回転したときのＥＣＴ像を再構成し、
　得られたＥＣＴ像Ｉ１を基にして、これらの像に対してＯＭラインがなす角度θだけ傾けた断面像Ｉ２に変換し、これらの像が最終的に求めようとするＯＭライン上のＲＩ断層像を含んだ断層像群となり、
　このようにして得られた撮影結果に、各傾斜断層像にＯＭラインからの距離情報を付加する、
エミッションＣＴ装置。」
２　引用文献２について
　原査定の拒絶の理由に引用された引用文献２には、次の事項が記載されている。
（１）「【０００３】
　単光子放出コンピュータ断層撮影（ＳＰＥＣＴ）および陽電子放出断層撮影（ＰＥＴ）を使用する機能的なイメージングは、様々な医学的疾患の診断において極めて有益である。しかしながら、ＳＰＥＣＴ画像およびＰＥＴ画像に関する解剖学的な定義における不確実性は、時として、それらの実用性を制限する。これを克服するため、身体の同じ領域の機能的ＳＰＥＣＴ画像またはＰＥＴ画像と、磁気共鳴画像（ＭＲＩ）およびＸ線コンピュータ断層撮影（ＣＴ）画像との統合画像が時として使用される。これは、研究、診断、および処置にとって非常に重要な相補的な解剖学的（ＭＲＩまたはＣＴ）および生理学的（ＳＰＥＣＴまたはＰＥＴ）な情報を与える。」
（２）「【００５６】
　本発明の典型的な実施形態においては、幾つかのレジストレーション方法／アルゴリズムが使用されてもよい。それらは、例えば、自動／相互情報レジストレーション（例えば、自動レジストレーション）、ランドマークを用いたレジストレーションおよび視覚による位置合わせ（例えば手動マッチング）であってもよい。
【００５７】
　自動レジストレーションは相互情報または正規化された相互情報に基づいて完全に自動化されたマッチングアルゴリズムである。しかしながら、自動レジストレーションを始める前に、ユーザは、自動レジストレーションの性能を向上させるために視覚による位置合わせを行なうことができる。また、自動レジストレーションは１つまたは複数のローディングステップと同時に行なうこともできる。
【００５８】
　自動レジストレーションは、第１の時点の第１の画像データセットの第１の画像列を第１の時点の第１の画像データセットの第２の画像列にレジストレーションするステップと、第１の時点の第１の画像データセットの第１の画像列を第２の時点の第２の画像データセットの第１の画像列にレジストレーションするステップと、第２の時点の第２の画像データセットの第１の画像列を第２の時点の第２の画像データセットの第２の画像列にレジストレーションするステップとを含む。
【００５９】
　例えば、２つのＣＴ−ＰＥＴスキャンがロードされると、ＣＴ−ＰＥＴスキャンのレジストレーションが第１の時点および第２の時点の両方において順次に始まる。ＣＴ−ＰＥＴレジストレーションが完了すると、第１の時点および第２の時点にわたって２つのＣＴ検査対象を一致させるためにレジストレーションが開始される。自動レジストレーションが行なわれる間、レジストレーションの進行をアルファ混合画像（例えば融合画像）で視覚化することができる。自動レジストレーションの現在の進行を示す進行テキストが表示されてもよい。
【００６０】
　ランドマークを用いたレジストレーションは、両方の画像列内の一致する位置における既知のマークの識別である。その識別から、アルゴリズムがレジストレーションを計算する。視覚による位置合わせは融合データセットに関して行なわれる。基準画像列は固定されたままであり、また、例えば視覚による位置合わせ制御を使用して、モデル画像列を翻訳し／回転させて、基準画像との位置合わせを行なうことができる。」
３　引用文献３について
　原査定の拒絶の理由に引用された引用文献３には、次の事項が記載されている。
「【００１７】
　図１を参照し続け、更に図３Ａ及び３Ｂを参照すると、撮像技師は、画像処理機能及び操作を実行するＣＰＵプロセッサ又はハードウェア手段４８及びソフトウェア手段５０を含むワークステーション４６を使用してスキャンを実行する。ワークステーション４６は、好ましくは、１つ以上の入力デバイス５２（例えばコンピュータキーボード、マウス等）及び１つ以上のモニタ又はディスプレイ５４を含む。ユーザは、入力デバイス５２を介して、ワークステーション４６及び／又は全体のシステム１０を選択的に制御することができる。対象を運ぶ寝台３４は、相補又はＰＥＴ画像５６がＰＥＴスキャナ３０により生成されるように検査領域４２内に寝台移動手段４４により移動される。電子データは、ＰＥＴ再構成プロセッサ５８によりＰＥＴ画像に再構成され、ＰＥＴ画像メモリ６０に記憶される。寝台移動手段４４は、一次又はＣＴ画像６２が撮られる前記ＣＴスキャナの検査領域２６内に前記対象を運ぶ前記寝台を配置するように寝台３４を移動する。より具体的には、前記対象と共にある寝台３４は、ＰＥＴイメージング領域４２内の撮像位置と同じであると幾何学的及び機械的に予測されるＣＴ検査領域２６内の位置まで移動される。電子データは、ＣＴ再構成プロセッサ６４により３次元ＣＴ画像に再構成され、ＣＴ画像メモリ６６に記憶される。
【００１８】
　相補画像５６及びＣＴ画像６２は、相補画像５６及びＣＴ画像６２内の共通の基準点が一致するように画像位置調整プロセッサ又は手段７０により互いに位置調整又は位置合わせされる。より具体的には、位置調整プロセッサ７０は、スキャナ３０とスキャナ１４との間の対象運動を補償するために前記画像の相対的なスケーリング、平行移動及び／又は回転を実行し、両方の画像内の共通の基準点の位置合わせを達成するために追加のスケーリング、平行移動、回転並びに他の線形及び非線形変換を使用する。前記基準点は、好ましくは容易に識別可能であり、例えば、相補画像５６からＣＴ画像６２まで互いに対してほとんど又は全く運動又は相対的な変位を体験しない明確な解剖学的ランドマークである。例えば、前記基準点は、考慮中の組織塊（tissue mass）により体験される運動を考慮して又は前記運動と相対的に実質的に静止している骨の先端でありうる。随意に、前記画像において視覚化されることができる基準又は他の同様な人工的ランドマークが、イメージング中に利用され、位置調整目的で基準点として使用される。
【００１９】
　一実施例において、位置調整プロセッサ７０は、各画像内の前記基準点のユーザ選択に応答して画像５６及び６２を自動的に位置合わせする。代替的には、位置調整プロセッサ７０は、前記ユーザによる手動位置合わせ又は位置合わせ調整を可能にする。いずれの場合にも、前記位置調整は、前記画像がマークされた後又はマーキングの前に行われることができる。前記位置調整された画像は、位置調整画像メモリ７２に記憶される。位置調整された画像５６及び６２の人間が見ることができる描写（例えば、３次元表現、２次元断面、表面レンダリング等）を提供するために、位置調整画像メモリ７２内の画像データは、モニタ５４に表示するためにビデオプロセッサ７４により適切にフォーマットされる。好ましくは、ＰＥＴ画像５６及びＣＴ画像６２は、隣り合わせの関係（side-by-side relationship）でディスプレイ５４に示される。代替的には、画像５６及び６２は、重ねられた形式で示される。前記ユーザは、画像５６及び６２の表示を制御するために入力手段５２を使用する。」
４　引用文献４について
　原査定の拒絶の理由に引用された引用文献４には、次の事項が記載されている。
「【００１２】
　次に、従来の撮影法について説明する。
　従来の撮影方法（１）を図４で説明する。図４中、符号１は目を、符号２は眼窩（orbital）上縁を、符号３は耳介を、符号４は脳幹を、符号５は外耳道（meatus）を、符号６は大脳辺縁系を、符号７は符号Ａの線を基準にした面に平行な複数の面を、符号８は撮影の移動方向を、符号Ａは眼窩上縁と外耳道を結ぶ線（ＯＭライン）を表す。図４の符号７と図３（ｂ）の符号Ｂとは、対応している。
　このように従来の撮影方法（１）は、ＯＭラインを基準とし、その面に平行な面を複数撮影し脳の断層画像を得るというものである。」
５　引用文献５について
　原査定の拒絶の理由に引用された引用文献５には、次の事項が記載されている。
「【００１２】
【実施例】以下、図面を参照して本発明の実施例を説明する。図１は、本発明のポジトロンＣＴ装置の検出器リングの構成及び検出器リングと被検体の位置関係を示す図であり、（ａ）は、被検体の頭頂方向からみた図、（ｂ）は、被検体の側面から見た断面図である。なお、図３に示す従来のポジトロンＣＴ装置と同じ構成要素については、同じ符号を付してその説明は省略する。
【００１３】図１に示すように、２台の投光器１０ａ、１０ｂが検出器リング近傍に配置されている。投光器１０ａ、１０ｂは、被検体１の両側面、すなわち体軸を挟んで左右両側に、水平方向において体軸７と直交する直線上に配置されており、図１に矢印で示す方向に、すなわち、体軸と直交する方向を中心に任意に回転させることができるように構成されている。図１は、投光器１０ａ、１０ｂから、被検体１のＯＭライン６に一致した方向に直線状の光ビーム１１を投光している様子を示している。図１（ａ）に示すように、直線状光ビーム１１は、被検体１に向かって扇状に広がっている。
【００１４】図２は、本発明のポジトロンＣＴ装置の制御機能を示すブロック図である。ここで、符号１０（ａ、ｂ）は投光器、１２は投光器の回転駆動制御系、１３は、投光器１０の回転角をエンコードするエンコーダ回路、１４はエンコーダ回路１３でエンコードされた角度信号を演算制御部１５に入力するインターフェイス回路である。
【００１５】ポジトロンＣＴ装置のオペレータは、被検体１を検出器リングの視野内に設置するまえに、投光器１０の回転駆動制御系１２を用いて、投光器１０から投光される直線状ビーム１１の投影方向と、被検体１のＯＭラインとが一致するように投光器１０を回転駆動させる。直線状ビーム１１の投影方向と被検体１のＯＭラインとが一致したところで、回転駆動制御系１２を停止させ、投光器１０の回転位置を決定する。この時の、投光器１０の回転角度ψは、エンコーダ回路１３によって適宜バイナリー信号にエンコードされて、インターフェース１４を介して演算制御部１５に自動的に入力される。このようにして、投光器の回転角度ψを演算制御部１３で読み込んだ後、被検体１を検出器リングの視野内の適当な位置に設置して、計測を開始する。
【００１６】演算制御部１５では、データを収集して体軸方向に画像を積み上げた後、インターフェース１４を介して読み込んだ投光器の回転角度ψだけ傾けた位置で裁断面を取って、この画像を出力装置（図示せず）に出力する。なお、投光器の回転駆動は、手動で行っても、あるいは自動的に行うようにしてもよい。
【００１７】
【発明の効果】上述したとおり、本発明のポジトロンＣＴ装置によれば、投光器を利用することにより、被検体のＯＭラインに平行なスライス面を容易に得ることができる。また、重量のある検出器リングをチルトさせるための駆動系が不要となるため、検出器リングを収納するガントリの小型化を図ることができると共に、製造コストの低減を図ることができる。」
６　引用文献６、７について
　原査定の拒絶の理由に引用された引用文献６、引用文献７には、次の事項が記載されている。
「この発明は、ＰＥＴ画像やＳＰＥＣＴ画像などの脳機能画像に基づいて、疾患の診断等を行う際に用いる代替正常脳データベースの生成に関するものである。」（引用文献６の［０００１］、引用文献７の【０００１】）
７　引用文献８について
　原査定の拒絶の理由に引用された引用文献８には、次の事項が記載されている。
「【００４３】
　位置合わせ方式選択受付部３３は、ユーザに３次元医用画像データV1とV2の位置合わせを自動で行うか、手動で行うかを選択させるためのユーザインターフェースを表示装置に表示させる。図４はこのユーザインターフェースの具体例である。図に示したように、ユーザは、ラジオボタンに対するマウスのクリック操作によって、自動・手動を選択することができる。
・・・
【００４５】
　手動位置合わせ受付部３５は、ユーザに３次元医用画像データ（例えばV1とV2）の位置合わせを手動で行わせるためのユーザインターフェースを表示装置に表示させ、ユーザによる手動位置合わせ操作に応じて、３次元医用画像データ（例えばV1とV2）の位置合わせを行い、位置合わせ後の３次元医用画像データ（例えばV1, V2B）を出力する。
・・・
ユーザがマウス等の操作により実行ボタンを押下すると、手動位置合わせ受付部３５は、コロナル断面画像SC2の当初の位置からの移動量を算出し、３次元医用画像データV2をこの移動量だけ体軸方向に移動する座標変換を行い、３次元医用画像データV2Bを出力する。なお、図３を用いて後述するように、自動位置合わせ処理部３４による位置合わせ結果を修正する際にも上記と同様のユーザインターフェースを用いることができる。」
第６　対比・判断
１　本願発明１について
（１）対比
　本願発明１と引用発明１を対比する。
ア　引用発明１の「架台３は、寝台４の天板４ａに載置された被検体Ｈに向けて撮影基準線を投光する投光器９ａ、９ｃを備えて」いることは、本願発明１の「天板に横臥する被検体に線状の光を投光する投光器と、」「を備え」ることに相当する。
イ　引用発明１の
「架台３は、検出器２を支持するアーム５と、このアーム５を支持するアーム支持部６を備えており、このアーム支持部６は、架台３に回動可能に取り付けられていて、架台３は、アーム支持部６を被検体Ｈの体軸周りに回転させる回転駆動部７と、このアーム支持部６の回転角度を検出する角度センサ８とを備えており、」
「この投光器９ａ、９ｃは、アーム５の検出器２近傍に設けられ、被検体Ｈに対し水平投光線ｅ−ｅ′、垂直投光線ｇ−ｇ′、並びにＯＭライン（人体の目と耳孔とを結んだ線）入力用設定線ｆ−ｆ′を投影し、これらの投影線のうちＯＭライン入力用設定線ｆ−ｆ′は、投光器９ａ、９ｃに連結して設けられた投光器回転具９ｂ、９ｄを操作することによって、被検体のサジタル面に沿って回転するようになっていて、オペレータは、投光器回転具９ｂ、９ｄを操作することにより、ＯＭライン入力用設定線ｆ−ｆ’を被検体Ｈの耳孔Ｏと目を結ぶ線、すなわち、ＯＭラインと一致するまで回転させ、また、ＯＭライン入力用設定線ｆ−ｆ′の垂直投光線ｇ−ｇ′に対する回転角θを検出するエンコーダ１０をアーム５に設けており、
　さらに、架台３は、この架台本体３を被検体の体軸方向へ走行させる走行駆動部１１を設けていて、架台３の寝台４（天板４ａ）に対する位置（以下、走行位置という）を検出する位置センサ１２を設けており、
　一方、寝台４には、寝台４の寝台操作部４ｂを操作することにより、寝台４上の天板４ａを体軸方向へスライドさせ、または昇降させる寝台駆動部１３を備えており、
　画像再構成装置１７では、エンコーダ１０により検出された回転角θ、角度センサ８により検出された回転角α、及び位置センサ１２により検出された移動量Ｌを読み込み、内部メモリ１６に一旦格納」することは、
　本願発明１の
「前記被検体の眼窩中心と外耳孔の中心を結ぶ左右の眼窩外耳孔線（ＯＭ（Orbitomeatal）ライン）又は、眼窩上縁と外耳孔の中心を結ぶ左右の眼窩上縁外耳孔線（ＳＯＭ（Supra Orbitomeatal）ライン）を含む平面である解剖学的基準面と前記線状の光によって定まる投光面とが合致するように調整された前記投光器の投光情報と前記天板の位置情報とを取得する手段と、」
「を備え」ることに相当する。
ウ　引用発明１の
「画像再構成装置１７では、」「この回転角θ、回転角α、及び移動量Ｌに基づいて実際のＯＭラインの位置を演算し、
　検出器２から送られる投影データを読み込み、次いで内部メモリ１６から回転角αを読み出し、検出器２がα°だけ回転したときのＥＣＴ像を再構成し、
　得られたＥＣＴ像Ｉ１を基にして、これらの像に対してＯＭラインがなす角度θだけ傾けた断面像Ｉ２に変換し、これらの像が最終的に求めようとするＯＭライン上のＲＩ断層像を含んだ断層像群となり、
　このようにして得られた撮影結果に、各傾斜断層像にＯＭラインからの距離情報を付加する」ことは、
　本願発明１の
「前記被検体に投与された核種が放出する放射線を複数の方向から検出して収集した投影データを再構成して３次元核医学画像を生成する一方、前記投光器の投光情報と前記天板の位置情報とを用いて前記３次元核医学画像に前記解剖学的基準面を対応付ける再構成手段と、」
「を備え」ることに相当する。
（一致点）
　上記ア〜ウでの検討から、本願発明１と引用発明１は、
「天板に横臥する被検体に線状の光を投光する投光器と、
　前記被検体の眼窩中心と外耳孔の中心を結ぶ左右の眼窩外耳孔線（ＯＭ（Orbitomeatal）ライン）又は、眼窩上縁と外耳孔の中心を結ぶ左右の眼窩上縁外耳孔線（ＳＯＭ（Supra Orbitomeatal）ライン）を含む平面である解剖学的基準面と前記線状の光によって定まる投光面とが合致するように調整された前記投光器の投光情報と前記天板の位置情報とを取得する手段と、
　前記被検体に投与された核種が放出する放射線を複数の方向から検出して収集した投影データを再構成して３次元核医学画像を生成する一方、前記投光器の投光情報と前記天板の位置情報とを用いて前記３次元核医学画像に前記解剖学的基準面を対応付ける再構成手段と、
を備える、
核医学診断装置。」
で一致し、次の点で相違する。
（相違点）
　本願発明１では、
「再構成した前記３次元核医学画像とは異なる他の３次元画像を入力する手段と、
　入力した前記他の３次元画像に対して前記解剖学的基準面を設定する手段と、
　再構成した前記３次元核医学画像の中の解剖学的基準面と、入力した前記他の３次元画像に対して設定された前記解剖学的基準面とが合致するように、前記３次元核医学画像と前記他の３次元画像とを位置合わせする手段と、
　位置合わせされた前記３次元核医学画像と前記他の３次元画像とを融合して融合画像を生成する手段と、
　表示器と、
を備え、
　前記他の３次元画像はＣＴ（Computed Tomography）画像、又は、ＭＲＩ（Magnetic Resonance Imaging）画像であり、
　前記表示器は、入力した前記他の３次元画像を表示し、
　前記他の３次元画像に対する解剖学的基準面は、前記表示器に表示された前記他の３次元画像に対するユーザ操作によって設定される」のに対して、
　引用発明１は、３次元核医学画像とＣＴやＭＲＩのような他の３次元画像との融合についての発明特定事項を有さない点。
（２）判断
　上記相違点について、以下、検討する。
　引用文献２には、身体の同じ領域の機能的ＳＰＥＣＴ画像またはＰＥＴ画像と、磁気共鳴画像（ＭＲＩ）およびＸ線コンピュータ断層撮影（ＣＴ）画像との統合画像を作成する際、自動レジストレーション、両方の画像列内の一致する位置における既知のマークであるランドマークを用いたレジストレーション、手動マッチングを行うことが記載されている。
　引用文献３には、相補又はＰＥＴ画像５６及びＣＴ画像６２は、共通の基準点が一致するように画像位置調整プロセッサにより互いに位置調整又は位置合わせされ、その基準点は、骨の先端や他の同様な人工的ランドマークがイメージング中に利用され、位置調整目的で基準点として使用されることが記載されている。
　引用文献２及び３に記載されるように、ＳＰＥＣＴ画像またはＰＥＴ画像のような３次元核医学画像と、磁気共鳴画像（ＭＲＩ）およびＸ線コンピュータ断層撮影（ＣＴ）画像のような他の３次元画像との融合画像を生成することは周知である。
　また、引用文献１には、「このようにして得られた撮影結果に、例えば各傾斜断層像にＯＭラインからの距離情報を付加することにより、Ｘ線ＣＴ装置等との比較がより簡単に行なうことができるようになる。」（【００５３】）と、各傾斜断層像のＯＭラインからの距離情報により、ＳＰＥＣＴ画像とＸ線ＣＴ画像との比較がより簡単になることが記載されている。
　しかし、引用文献１には画像を融合すること及びその際にＯＭラインにより位置合わせすることのいずれも記載されておらず、また、引用文献２及び３には画像を融合する際にランドマークを用いた位置合わせ等が記載されているが、ＯＭラインを用いた位置合わせは記載されていない。
　すると、引用発明及び上記周知技術から、ＯＭライン上のＲＩ断層像を含み、ＯＭラインからの距離情報を付加された各傾斜断層像からなる断層像群とＸ線ＣＴ画像とを融合することが当業者であれば容易に想到し得るとはいえるが、その際、位置合わせとしては、引用文献２及び３に記載されるランドマークを用いた位置合わせ等を行うことが想起されるとはいえるものの、ＯＭラインを用いて、断層像群とＸ線ＣＴ画像との位置合わせを行うことまで、当業者が容易に想到し得たということはできない。
　さらに、引用文献４〜８には、ＯＭラインを用いて、三次元核医学画像と他の３次元画像の位置合わせを行うことの開示も示唆もない。
　したがって、引用発明１に、引用文献２〜８に記載された技術事項を組み合わせても、上記相違点に係る本願発明１の発明特定事項が容易に想到し得るとはいえない。
（３）小括
　よって、本願発明１は、引用発明１及び引用文献２〜８に記載された技術事項に基づいて容易に発明できたものであるとはいえない。
２　本願発明２〜５について
　本願発明２〜５も、本願発明１の上記相違点に係る発明特定事項を備えるものであるから、本願発明１と同じ理由により、引用発明１及び引用文献２〜８に記載された技術事項に基づいて容易に発明できたものであるとはいえない。
第７　原査定についての判断
　原査定は、上記第２で示したとおりであって、上記第５及び６で説示したとおり、本願発明１〜５は、引用発明１及び引用文献２〜８に記載された技術事項に基づいて容易に発明できたものであるとはいえないから、原査定を維持することはできない。
　なお、原査定の対象である請求項８及び９は、平成３１年４月２２日に提出された手続補正書でした手続補正により削除されている。
第８　当審拒絶理由について
１　理由１（１）について
　本願発明１が、
「表示器と、
を備え、
　前記他の３次元画像はＣＴ（Computed Tomography）画像、又は、ＭＲＩ（Magnetic Resonance Imaging）画像であり、
　前記表示器は、入力した前記他の３次元画像を表示し、
　前記他の３次元画像に対する解剖学的基準面は、前記表示器に表示された前記他の３次元画像に対するユーザ操作によって設定される」
と補正された結果、この拒絶理由は解消した。
２　理由１（２）及び理由２について
　拒絶理由の対象である請求項８及び９が、平成３１年４月２２日に提出された手続補正書でした手続補正により削除された結果、この拒絶理由は解消した。
第９　むすび
　以上のとおり、原査定の理由及び当審の拒絶理由によっては、本願を拒絶することはできない。
　また、他に本願を拒絶すべき理由を発見しない。
　よって、結論のとおり審決する。